(57)【要約】      （修正有）【課題】同期クロックの信号品質の低下を防止できる伝送システム等を提供する。【解決手段】切替制御部２５は、選択リスト１５を参照し、同期クロックを切り替える接続先ポートを選択する。接続先ポートを選択した場合、問合せ情報の出力を問合せ要求部２６に通知する。問合せ要求部２６は、情報管理部１６から取得したＩＤを付加した問合せ情報を編集し、挿入部２１経由、伝送信号内に出力する。ループ判定部２７は、抽出部２２で抽出された情報が自局発の問合せ情報に対応するマスタ応答情報の場合、クロックループ発生なしと判定し、自局発の問合せ情報の場合、クロックループ発生と判定する。ループ発生なしと判定した場合、選択リスト１５を参照して、同期クロックの接続先ポートとしての決定を切替制御部２５に通知する。切替制御部２５は、クロックループ発生と判定した場合、クロックループ発生の接続先ポートを選択リスト１５から削除する。【選択図】図３
2015192246.tif 000002
【特許請求の範囲】
【請求項１】
同期クロックを分配するマスタ側の伝送装置と、前記マスタ側の伝送装置からの前記同期クロックに従属同期する複数のスレーブ側の伝送装置とを接続した伝送システムであって、
各伝送装置は、
前記同期クロックを切替える接続先の伝送装置を選択する選択部と、
前記選択部にて選択された前記接続先の伝送装置を経由して前記マスタ側の伝送装置宛の問合せ信号を出力する出力部と、
自装置が出力した前記問合せ信号を受信したか否かを判定する判定部と、
前記判定部にて前記問合せ信号を受信した場合に、当該接続先の伝送装置を経路とした同期クロックのループ発生と判定する制御部と
を有することを特徴とする伝送システム。
【請求項２】
前記制御部は、
自装置が出力した前記問合せ信号に対する前記マスタ側の伝送装置からの応答信号を受信した場合に、前記選択部にて選択された当該接続先の伝送装置を当該同期クロックの受信経路として決定することを特徴とする請求項１に記載の伝送システム。
【請求項３】
前記伝送装置は、
前記接続先の伝送装置を優先順位毎に記憶した記憶部を有し、
前記選択部は、
前記記憶部内の前記優先順位に基づき前記接続先の伝送装置を選択し、
前記制御部は、
前記選択部にて選択された前記接続先の伝送装置を経路とした前記ループ発生と判定された場合に、当該接続先の伝送装置を前記記憶部から削除することを特徴とする請求項１又は２に記載の伝送システム。
【請求項４】
前記記憶部は、
前記優先順位毎に、前記接続先の伝送装置を識別する識別情報及び、前記接続先の伝送装置に設定中の同期状態メッセージを対応付けて記憶しておき、
前記選択部は、
前記記憶部内の前記優先順位及び前記同期状態メッセージに基づき、前記接続先の伝送装置を選択することを特徴とする請求項３に記載の伝送システム。
【請求項５】
前記伝送装置は、
他の伝送装置からの前記問合せ信号を受信した場合に、当該問合せ信号を受信した接続先の伝送装置を記録し、当該問合せ信号を選択中の接続先の伝送装置に転送すると共に、前記問合せ信号に対応する前記応答信号を受信した際に記録した前記接続先の伝送装置に当該応答信号を転送する転送部
を有することを特徴とする請求項１〜４の何れか一つに記載の伝送システム。
【請求項６】
前記選択部は、
所定信号を検出した場合に、前記記憶部内の優先順位に基づき、前記接続先の伝送装置を選択することを特徴とする請求項３又は４に記載の伝送システム。
【請求項７】
同期クロックを分配するマスタ局からの前記同期クロックに従属同期する伝送装置であって、
前記同期クロックを切替える接続先の伝送装置を選択する選択部と、
前記選択部にて選択された当該接続先の伝送装置を経由して前記マスタ局宛の問合せ信号を出力する出力部と、
自装置が出力した前記問合せ信号を受信したか否かを判定する判定部と、
前記判定部にて前記問合せ信号を受信した場合に、当該接続先の伝送装置を経路とした同期クロックのループ発生と判定する制御部と
を有することを特徴とする伝送装置。
【請求項８】
同期クロックを分配するマスタ側の伝送装置と、前記マスタ側の伝送装置からの前記同期クロックに従属同期する複数のスレーブ側の伝送装置とを接続した伝送システムのクロック同期方法であって、
各伝送装置は、
前記同期クロックを切替える接続先の伝送装置を選択し、
前記選択された前記接続先の伝送装置を経由して前記マスタ側の伝送装置宛の問合せ信号を出力し、
自装置が出力した前記問合せ信号を受信したか否かを判定し、
前記問合せ信号を受信した場合に、当該接続先の伝送装置を経路とした同期クロックのループ発生と判定する
を処理を実行することを特徴とするクロック同期方法。
【発明の詳細な説明】
【技術分野】
【０００１】
本発明は、伝送システム、伝送装置及びクロック同期方法に関する。
【背景技術】
【０００２】
近年、複数の伝送装置が接続する伝送システムでは、例えば、リニア型やリング型の接続構成のみでなく、メッシュ型がある。伝送システムは、クロック源からの同期クロックを分配する伝送装置であるマスタ局と、複数の伝送装置であるスレーブ局とを有する。各スレーブ局は、マスタ局からの同期クロックに従属同期し、従属同期した同期クロックに基づき各動作を実行する。また、従属同期方式の伝送システムでは、不必要なクロック変動を起こさないために切り戻しを実行しないのが一般的である。
【０００３】
しかしながら、従属同期方式の伝送システムでは、マスタ局とスレーブ局との間で回線障害が発生した場合、各スレーブ局は、マスタ局からの同期クロックを取得できず、同期クロックの復旧に際して同期クロックのループが発生する場合がある。伝送システムでは、同期クロックのループが発生した場合、各伝送装置の同期クロックの周波数偏差が大きくなって伝送装置間の通信品質が低下してしまう。
【０００４】
また、同期クロックのループ発生を防止する方法として、ＩＴＵ−Ｔ（International  Telecommunication  Union）Ｇ．７０７及びＧ．７０４に定義された、ＳＳＭ（Synchronization  Status  Message）を拡張した拡張ＳＳＭを用いる方法がある。尚、ＳＳＭは、同期網タイミングリファレンスの品質を伝達するメッセージである。
【０００５】
例えば、各伝送装置間でクロックを供給するリング型の伝送システムでは、拡張ＳＳＭを用いた場合、伝送装置が伝送信号内の拡張ＳＳＭ内に伝送装置を識別するＩＤを挿入し、ＩＤを挿入した伝送信号を他の伝送装置に伝送する。そして、各伝送装置は、他の伝送装置から受信した伝送信号内の拡張ＳＳＭに抽出したＩＤが自局のＩＤと同一であるか否かを判定する。伝送装置は、拡張ＳＳＭ内のＩＤが自局のＩＤと同一の場合、同期クロックのループが発生したと判定する。リング型の伝送システムでは、クロックループの発生有無を確認できる。
【先行技術文献】
【特許文献】
【０００６】
【特許文献１】特開２００４−０３２１７５号公報
【発明の概要】
【発明が解決しようとする課題】
【０００７】
しかしながら、例えば、伝送装置毎に多数の伝送装置を接続可能にしたメッシュ型の伝送システムでは、同期クロックを切替える接続先の伝送装置の経路が多様化するため、同期クロックループの発生有無を確認するのは困難である。その結果、メッシュ型の伝送システムでは、同期クロックの信号品質が低下する。
【０００８】
一つの側面では、同期クロックの信号品質の低下を防止できる伝送システム等を提供することを目的とする。
【課題を解決するための手段】
【０００９】
一つの案の伝送システムは、同期クロックを分配するマスタ側の伝送装置と、マスタ側の伝送装置からの同期クロックに従属同期する複数のスレーブ側の伝送装置とを接続した伝送システムである。各伝送装置は、選択部と、出力部と、判定部と、制御部とを有する。選択部は、同期クロックを切替える接続先の伝送装置を選択する。出力部は、選択部にて選択された前記接続先の伝送装置を経由してマスタ側の伝送装置宛の問合せ信号を出力する。判定部は、自装置が出力した問合せ信号を受信したか否かを判定する。制御部は、判定部にて問合せ信号を受信した場合に、当該接続先の伝送装置を経路とした同期クロックのループ発生と判定する。
【発明の効果】
【００１０】
同期クロックの信号品質の低下を防止できる。
【図面の簡単な説明】
【００１１】
【図１】図１は、本実施例の伝送システムの一例を示す説明図である。
【図２】図２は、本実施例の伝送装置の一例を示すブロック図である。
【図３】図３は、切替局の一例を示す説明図である。
【図４】図４は、中継局の一例を示す説明図である。
【図５】図５は、マスタ局の一例を示す説明図である。
【図６】図６は、伝送信号のオーバヘッドの構成の一例を示す説明図である。
【図７】図７は、オーバヘッドの内容の一覧を示す情報テーブルの一例を示す説明図である。
【図８】図８は、切替処理に関わる切替局の処理動作の一例を示すフローチャートである。
【図９】図９は、中継処理に関わる中継局の処理動作の一例を示すフローチャートである。
【図１０】図１０は、伝送システム内での正常状態→障害発生→クロック復旧までの各伝送装置の処理動作の一例を示す説明図である。
【図１１】図１１は、伝送システム内での正常状態→障害発生→クロック復旧までの各伝送装置の処理動作の一例を示す説明図である。
【図１２】図１２は、伝送システム内での正常状態→障害発生→クロック復旧までの各伝送装置の処理動作の一例を示す説明図である。
【図１３】図１３は、伝送システム内での正常状態→障害発生→クロック自走→クロック復旧までの各伝送装置の処理動作の一例を示す説明図である。
【図１４】図１４は、伝送システム内での正常状態→障害発生→クロック自走→クロック復旧までの各伝送装置の処理動作の一例を示す説明図である。
【図１５】図１５は、伝送システム内での正常状態→障害発生→クロック自走→クロック復旧までの各伝送装置の処理動作の一例を示す説明図である。
【図１６】図１６は、伝送システム内での正常状態→障害発生→クロック自走→クロック復旧までの各伝送措置の処理動作の一例を示す説明図である。
【図１７】図１７は、伝送システム内での正常状態→障害発生→クロック自走→クロック復旧までの各伝送装置の処理動作の一例を示す説明図である。
【図１８】図１８は、伝送システム内での正常状態→障害発生→クロック自走→クロック復旧までの各伝送装置の処理動作の一例を示す説明図である。
【図１９】図１９は、伝送システム内での正常状態→障害発生→クロック自走→クロック復旧までの各伝送装置の処理動作の一例を示す説明図である。
【図２０】図２０は、事前チェック処理に関わる伝送装置の処理動作の一例を示すフローチャートである。
【図２１】図２１は、伝送システム内の第２の伝送装置の事前チェック処理に関わる処理動作の一例を示す説明図である。
【図２２】図２２は、伝送システム内の第４の伝送装置の事前チェック処理に関わる処理動作の一例を示す説明図である。
【図２３】図２３は、伝送システム内の第５の伝送装置の事前チェック処理に関わる処理動作の一例を示す説明図である。
【発明を実施するための形態】
【００１２】
以下、図面に基づいて、本願の開示する伝送システム、伝送装置及びクロック同期方法の実施例を詳細に説明する。尚、本実施例により、開示技術が限定されるものではない。また、以下に示す各実施例は、矛盾を起こさない範囲で適宜組み合わせても良い。
【実施例】
【００１３】
図１は、本実施例の伝送システムの一例を示す説明図である。図１に示す伝送システム１は、Ｓｏｎｅｔ／ＳＤＨ（Synchronous  Optical  Network/Synchronous  Digital  Hierarchy）等の従属同期方式の通信網であって、例えば、伝送装置ＮＥ１〜ＮＥ５及びクロック源Ｃｋ１及びＣｋ２を有する。伝送装置ＮＥ１〜ＮＥ５は、メッシュ型の接続構成である。第１の伝送装置ＮＥ１は、第２の伝送装置ＮＥ２、第５の伝送装置ＮＥ５及び第１のクロック源Ｃｋ１と接続する。第２の伝送装置ＮＥ２は、第１の伝送装置ＮＥ１、第３の伝送装置ＮＥ３、第４の伝送装置ＮＥ４及び第５の伝送装置ＮＥ５と接続する。第３の伝送装置ＮＥ３は、第２の伝送装置ＮＥ２及び第４の伝送装置ＮＥ４と接続する。第４の伝送装置ＮＥ４は、第２の伝送装置ＮＥ２、第３の伝送装置ＮＥ３、第５の伝送装置ＮＥ５、第２のクロック源Ｃｋ２と接続する。第５の伝送装置ＮＥ５は、第１の伝送装置ＮＥ１、第２の伝送装置ＮＥ２及び第４の伝送装置ＮＥ４と接続する。
【００１４】
第１の伝送装置ＮＥ１は、伝送システム１内で第１のクロック源Ｃｋ１からのクロックに同期し、このクロックを伝送システム１内の各伝送装置ＮＥ２〜ＮＥ５に分配するマスタ局４０である。第２の伝送装置ＮＥ２は、第１の伝送装置ＮＥ１からのクロックに従属同期する。第３の伝送装置ＮＥ３は、第２の伝送装置ＮＥ２からのクロックに従属同期する。第４の伝送装置ＮＥ４は、第３の伝送装置ＮＥ３からのクロックに従属同期する。第５の伝送装置ＮＥ５は、第１の伝送装置ＮＥ１からのクロックに従属同期する。第２の伝送装置ＮＥ２、第３の伝送装置ＮＥ３及び第４の伝送装置ＮＥ４は、矢印で示す接続先ポートから伝送信号で得たクロックに従属同期している。
【００１５】
各伝送装置ＮＥ１〜ＮＥ５は、クロックを切替える際の選択可能な接続先ポート及び、接続先ポート毎に設定中のＳＳＭを対応付けて優先順位毎に記憶した選択リスト１５を有する。尚、ＳＳＭは、伝送信号中のオーバヘッドのＳ１バイト領域に挿入するクロック品質を示すコードである。品質コード（Quality  Level  Code）には、品質の高い順に、例えば、ＰＲＳ（Primary  Reference  Source）、ＳＴＵ（Synchronization  Traceability  Unknown）、ＳＴ３（Stratum  3）及びＤＵＳ（Do  not  Use  Synchronous）等がある。例えば、ＰＲＳは品質レベル１、ＳＴＵは品質レベル２、ＳＴ３は品質レベル４、ＤＵＳは品質レベル９に相当する。
【００１６】
尚、例えば、第１の伝送装置ＮＥ１が第２の伝送装置ＮＥ２にクロックを提供するマスタ局４０の場合、第１の伝送装置ＮＥ１は、第２の伝送装置ＮＥ２への伝送信号中のＳ１バイト領域に“ＰＲＳ”を挿入する。そして、第２の伝送装置ＮＥ２は、伝送信号中のＳ１バイト領域内の“ＰＲＳ”を抽出し、選択リスト１５内の第１の伝送装置ＮＥ１の接続先ポートに“ＰＲＳ”を設定する。これに対し、“ＰＲＳ”を設定した第２の伝送装置ＮＥ２は、第１の伝送装置ＮＥ１への伝送信号中のＳ１バイト領域に“ＤＵＳ”を挿入する。そして、第１の伝送装置ＮＥ１は、伝送信号中のＳ１バイト領域内の“ＤＵＳ”を抽出し、選択リスト１５内の第２の伝送装置ＮＥ２の接続先ポートに“ＤＵＳ”を設定する。
【００１７】
伝送装置ＮＥ１〜ＮＥ５は、選択リスト１５を参照し、自局の同期クロックを切替える接続先ポートを選択する。第１の伝送装置ＮＥ１は、選択リスト１５を参照し、選択可能な接続先ポートの存在を認識する。第１の伝送装置ＮＥ１の選択リスト１５には、優先順位の第１番目に第１のクロック源Ｃｋ１の接続先ポート（ＰＲＳ：選択）、第２番目に第２の伝送装置ＮＥ２の接続先ポート（ＤＵＳ）が記憶されている。更に、選択リスト１５には、第３番目に第５の伝送装置ＮＥ５の接続先ポート（ＤＵＳ）が記憶されている。更に、第１の伝送装置ＮＥ１は、選択リスト１５を参照し、現在、第１のクロック源Ｃｋ１を選択中と識別できる。
【００１８】
第２の伝送装置ＮＥ２の選択リスト１５には、優先順位の第１番目に第１の伝送装置ＮＥ１の接続先ポート（ＰＲＳ：選択）、第２番目に第３の伝送装置ＮＥ３の接続先ポート（ＤＵＳ）が記憶されている。更に、選択リスト１５には、第３番目に第４の伝送装置ＮＥ４の接続先ポート（ＰＲＳ）、第４番目に第５の伝送装置ＮＥ５の接続先ポート（ＰＲＳ）が記憶されている。更に、第２の伝送装置ＮＥ２は、選択リスト１５を参照し、現在、第１の伝送装置ＮＥ１の接続先ポートを選択中と識別できる。
【００１９】
第３の伝送装置ＮＥ３の選択リスト１５には、優先順位の第１番目に第２の伝送装置ＮＥ２の接続先ポート（ＰＲＳ：選択）、第２番目に第４の伝送装置ＮＥ４の接続先ポート（ＤＵＳ）が記憶されている。更に、第３の伝送装置ＮＥ３は、選択リスト１５を参照し、現在、第２の伝送装置ＮＥ２の接続先ポートを選択中と識別できる。
【００２０】
第４の伝送装置ＮＥ４の選択リスト１５には、優先順位の第１番目に第２の伝送装置ＮＥ２の接続先ポート（ＰＲＳ）、第２番目に第３の伝送装置ＮＥ３の接続先ポート（ＰＲＳ：選択）が記憶されている。更に、選択リスト１５には、第３番目に第５の伝送装置ＮＥ５の接続先ポート（ＰＲＳ）、第４番目に第２のクロック源Ｃｋ２の接続先ポート（ＳＴＵ）が記憶されている。更に、第４の伝送装置ＮＥ４は、現在、第３の伝送装置ＮＥ３の接続先ポートを選択中と識別できる。
【００２１】
第５の伝送装置ＮＥ５の選択リスト１５は、優先順位の第１番目に第１の伝送装置ＮＥ１の接続先ポート（ＰＲＳ：選択）、第２番目に第２の伝送装置ＮＥ２の接続先ポート（ＰＲＳ）、第３番目に第４の伝送装置ＮＥ４の接続先ポート（ＰＲＳ）が記憶されている。更に、第５の伝送装置ＮＥ５は、現在、第１の伝送装置ＮＥ１の接続先ポートを選択中と識別できる。
【００２２】
伝送装置ＮＥは、クロックを切替える接続先ポートの切替が発生した場合、選択リスト１５を参照し、選択リスト１５からクロックループ発生なしの同期クロックの接続先ポートを決定する。尚、伝送装置ＮＥは、例えば、優先順位が上位の接続先ポートが有効になった場合にポートを切替えるというものではない。
【００２３】
例えば、第４の伝送装置ＮＥ４は、選択リスト１５を参照し、第２の伝送装置ＮＥ２、第３の伝送装置ＮＥ３、第５の伝送装置ＮＥ５から取得したクロック及び、第２のクロック源Ｃｋ２から取得したクロックを選択できる。第４の伝送装置ＮＥ４は、第３の伝送装置ＮＥ３からのクロックを選択し、各ポートから「ＦＦ」（未使用）のコードと、設定中の接続先ポートのＱＬコードを出力している。伝送装置ＮＥ１〜ＮＥ３、ＮＥ５も、伝送装置ＮＥ４と同様に、各ポートから「ＦＦ」のコードと、設定中の接続先ポートのＱＬコードを出力している。
【００２４】
図２は、伝送装置ＮＥの一例を示すブロック図である。図２に示す伝送装置ＮＥは、ＩＦ部Ｐ（Ｐ１〜Ｐ８）と、接続制御部１１と、クロック制御部１２と、記憶部１３と、制御部１４とを有する。ＩＦ部Ｐは、接続先ポートと接続するインタフェースである。接続制御部１１は、例えば、ＩＦ部Ｐから入力した信号の出力先を選択するクロスコネクトを制御する。クロック制御部１２は、伝送装置ＮＥが動作する同期クロックを制御する。記憶部１３は、各種情報を記憶する領域である。制御部１４は、例えば、伝送装置ＮＥ内部の各種設定や警報監視等の伝送装置ＮＥ全体を制御する。記憶部１３は、選択リスト１５及び情報管理部１６を有する。選択リスト１５は、前述した通り、同期クロックを切替える、選択可能な接続先ポート及び、接続先ポートに設定中のＱＬコードを対応付けて優先順位毎に記憶している。情報管理部１６は、伝送システム１内の各伝送装置ＮＥを識別するＩＤや、ライフタイム情報、後述する受信記録等を記憶している。尚、ライフタイム情報は、例えば、同期クロックの接続先ポートを辿るのに使用し、当該情報が伝送装置ＮＥを中継する毎にライフタイム情報を−１デクリメントする。
【００２５】
図１に示す伝送装置ＮＥは、動作条件に応じて、例えば、切替局２０、中継局３０又はマスタ局４０として機能する。制御部１４は、例えば、第１のクロック源Ｃｋ１からの同期クロックを伝送システム１内の他の伝送装置ＮＥに分配する伝送装置ＮＥの場合に、マスタ局４０として機能する。また、制御部１４は、マスタ局４０から同期クロックの分配を受けている場合に、中継局３０として機能する。更に、制御部１４は、中継局３０の内、障害等で同期クロックの切替が発生した場合、同期クロックの接続先ポートを決定する切替局２０として機能する。例えば、図１の伝送システム１では、第１の伝送装置ＮＥ１をマスタ局４０、第２の伝送装置ＮＥ２を切替局２０、第３の伝送装置ＮＥ３、第４の伝送装置ＮＥ４及び第５の伝送装置ＮＥ５を中継局３０とする。
【００２６】
切替局２０は、障害等で自局の同期クロックの切替が発生した場合に、同期クロックの提供元であるマスタ局４０に対して、自局を識別するＩＤを含む問合せ情報を出力する。尚、問合せ情報は、チェック対象の接続先ポートに対するクロックループ発生の有無を確認するマスタ局４０宛の問合せ要求を含む情報である。中継局３０は、問合せ情報を受信した場合、問合せ情報内の送出元ＩＤをチェックし、送出元ＩＤに対応した、問合せ情報を受信した接続先ポートを受信記録として情報管理部１６に記録する。更に、中継局３０は、問合せ情報をマスタ局４０に転送する。
【００２７】
マスタ局４０は、問合せ情報を受信した場合、問合せ情報を受信した接続先ポートを受信記録として情報管理部１６に記録する。マスタ局４０は、マスタ局４０の識別ＩＤを付加したマスタ応答情報を問合せ情報の応答情報として生成する。マスタ局４０は、情報管理部１６に記憶中の受信記録に基づき、問合せ情報を受信した接続先ポートからマスタ応答情報を出力する。中継局３０は、マスタ応答情報を受信した場合、情報管理部１６に記録された受信記録に基づき、マスタ応答情報に対する問合せ情報を受信した接続先ポートから出力する。
【００２８】
切替局２０は、中継局３０を経て自局の問合せ情報に対応するマスタ応答情報を受信した場合、問合せ情報を出力した接続先ポートでのクロックループ発生なしと判定する。また、切替局２０は、中継局３０を経て自局発の問合せ情報を受信した場合、問合せ情報を出力した接続先ポートのクロックループ発生と判定する。
【００２９】
図３は、切替局２０の一例を示すブロック図である。図３に示す切替局２０は、自局のクロック切替を検出した場合、マスタ局４０宛の問合せ情報を同期クロックの接続先ポートに出力する。更に、切替局２０は、自局発の問合せ情報を受信した場合、クロックループ発生と判定し、選択中の同期クロックの接続先ポートを選択リスト１５から削除し、選択リスト１５から優先順位が次位の接続先ポートに切り替える。また、切替局２０は、問合せ情報に対応するマスタ応答情報を受信した場合、クロックループ発生なしと判定する。
【００３０】
切替局２０の各ＩＦ部Ｐは、挿入部２１及び抽出部２２を有する。挿入部２１は、伝送信号内のオーバヘッダ内に問合せ情報やマスタ応答情報等の情報を挿入する。抽出部２２は、伝送信号内のオーバヘッダから問合せ情報やマスタ応答情報等の情報を抽出する。
【００３１】
切替局２０の制御部１４は、切替制御部２５と、問合せ要求部２６と、ループ判定部２７とを有する。切替制御部２５は、選択リスト１５を参照し、優先順位に基づき、同期クロックを切り替える接続先ポートを選択する、例えば、選択部である。切替制御部２５は、同期クロックの接続先ポートを選択した場合、マスタ局４０宛の問合せ情報の出力を問合せ要求部２６に通知する。更に、問合せ要求部２６は、情報管理部１６から同期クロック切替時の自局を識別する送信元ＩＤ及びマスタ局４０のＩＤを取得し、取得した送信元ＩＤ及びマスタ局４０のＩＤを付加した問合せ情報を編集する、例えば、出力部である。
【００３２】
挿入部２１は、編集した問合せ情報を伝送信号内のオーバヘッダに挿入し、マスタ局４０に伝送すべく、問合せ情報を出力する。更に、抽出部２２は、他の伝送装置ＮＥから受信した伝送信号内のオーバヘッダから問合せ情報又はマスタ応答情報を抽出する。
【００３３】
ループ判定部２７は、抽出部２２にて抽出された問合せ情報又はマスタ応答情報に基づき、クロックループ発生の有無を判定する、例えば、判定部及び制御部である。ループ判定部２７は、抽出部２２で抽出された情報が自局発の問合せ情報に対応するマスタ応答情報の場合、当該接続先ポートを経路としたクロックループ発生なしと判定する。また、ループ判定部２７は、抽出された情報が自局発の問合せ情報の場合、当該接続先ポートを経路としたクロックループ発生と判定する。更に、ループ判定部２７は、クロックループ発生なしと判定した場合、選択リスト１５を参照して、選択中の接続先ポートを同期クロックの接続先ポートとしての決定を切替制御部２５に通知する。切替制御部２５は、ループ判定部２７にて接続先ポートのクロックループ発生と判定した場合、クロックループ発生の接続先ポートを選択リスト１５から削除する。尚、切替局２０は、問合せ情報に対するマスタ応答情報を受信するまで問合せ情報の要求を継続する。
【００３４】
図４は、中継局３０の一例を示すブロック図である。図４に示す中継局３０は、切替局２０からの問合せ情報を受信した場合、問合せ情報を受信した接続先ポートを受信記録として情報管理部１６に記録し、現在選択中の接続先ポートに問合せ情報を転送する。中継局３０は、マスタ局４０からのマスタ応答情報を受信した場合、情報管理部１６に記録された受信記録に基づき、マスタ応答情報に対応する問合せ情報を受信した接続先ポートにマスタ応答情報を転送する。
【００３５】
中継局３０の制御部１４は、信号処理部３１と、中継部３２と、中継制御部３３とを有する。信号処理部３１は、例えば、伝送信号に信号処理を施す。中継部３２は、選択リスト１５を参照して問合せ情報やマスタ応答情報を接続先ポートの伝送装置ＮＥに転送する、例えば、転送部である。中継制御部３３は、中継局３０全体を制御する。中継制御部３３は、問合せ情報を受信した場合、問合せ情報を受信した接続先ポートを受信記録として情報管理部１６に記録する。中継部３２は、受信した問合せ情報内のライフタイム情報を−１デクリメントして編集する。
【００３６】
中継制御部３３は、マスタ応答情報を受信した場合、情報管理部１６で記録された受信記録に基づき、マスタ応答情報に対応する問合せ情報を受信した接続先ポートにマスタ応答情報を転送すべく、中継部３２を制御する。中継部３２は、マスタ応答情報を転送すべく、マスタ応答情報に対応する問合せ情報を受信した接続先ポートのＩＦ部Ｐを選択する。ＩＦ部Ｐ内の挿入部２１は、マスタ応答情報を伝送信号内のオーバヘッド内に挿入して転送する。
【００３７】
図５は、マスタ局４０の一例を示す説明図である。図５に示すマスタ局４０は、同期クロックを伝送システム１内の他の伝送装置ＮＥに提供する伝送装置ＮＥである。マスタ局４０は、自局宛の問合せ情報を受信した場合、問合せ情報を受信した接続先ポートを受信記録として記録する。そして、マスタ局４０は、自局宛の問合せ情報に対するマスタ応答情報を切替局２０に返信する。
【００３８】
マスタ局４０の制御部１４は、信号処理部４１及びマスタ制御部４２を有する。信号処理部４１は、伝送信号に信号処理を施す。マスタ制御部４２は、抽出部２２にて問合せ情報を抽出した場合、問合せ情報を受信した接続先ポートを受信記録として情報管理部１６に記録する。更に、マスタ制御部４２は、情報管理部１６からライフタイム情報を含むマスタ応答情報を生成する。マスタ制御部４２は、情報管理部１６に記録された受信記録に基づき、マスタ応答情報を出力すべく、問合せ情報を受信した接続先ポートの挿入部２１にマスタ応答情報を伝送する。
【００３９】
図６は、伝送信号のオーバヘッダの情報構成の一例を示す説明図である。図７は、問合せ情報又はマスタ応答情報等の情報内容の一例を示すテーブルである。伝送装置ＮＥ相互間で伝送する伝送信号内のオーバヘッドの情報構成は、図６に示すように、８ビットで構成し、前半４ビットをＩＤ情報に使用し、後半４ビットをライフタイム情報に使用する。前半４ビットは、問合せ情報内の伝送装置ＮＥのＩＤ情報やマスタ応答情報等の情報に使用し、コードで規定する。後半４ビットは、通過する伝送装置ＮＥの数を管理するライフタイム情報に使用し、コードで規定する。尚、伝送装置ＮＥは、例えば、問合せ情報を受信した際に当該問合せ情報のライフタイム情報が“０”になった時点で問合せ情報を破棄する。尚、伝送信号内のオーバヘッダを複数使用し、マルチフレームを組むことで問合せ情報やマスタ応答情報等の情報量を増やすようにしても良い。その結果、管理できるネットワーク規模の拡大が図れる。尚、図７に示すテーブルは情報管理部１６内に記憶されているものとする。
【００４０】
次に、本実施例の伝送システム１内の切替局２０の動作について説明する。図８は、切替処理に関わる切替局２０の処理動作の一例を示すフローチャートである。図８に示す切替処理は、同期クロックを切替える接続先ポートの切替を検出した場合に切替局２０が実行する処理である。図８に示す切替局２０の切替制御部２５は、同期クロックを切替える接続先ポートの切替選択を検出したか否かを判定する（ステップＳ１１）。切替制御部２５は、接続先ポートの切替選択を検出した場合（ステップＳ１１肯定）、現在クロック源として選択中の接続先ポートに対して、自局を識別するＩＤ情報を含むマスタ局４０宛の問合せ情報を出力する（ステップＳ１２）。
【００４１】
切替制御部２５は、問合せ情報に対応するマスタ応答情報の受信を監視する監視時間を計時する応答タイマを起動し（ステップＳ１３）、マスタ局４０からマスタ応答情報を受信したか否かを判定する（ステップＳ１４）。切替制御部２５は、マスタ応答情報を受信した場合（ステップＳ１４肯定）、マスタ応答情報が自局発の問合せ情報に対応するマスタ応答情報であるか否かを判定する（ステップＳ１５）。
【００４２】
切替制御部２５は、マスタ応答情報が自局発の問合せ情報に対応するマスタ応答情報である場合（ステップＳ１５肯定）、選択中の接続先ポートでのクロックループ発生なしと判断する。更に、切替制御部２５は、クロックループ発生なしと判断した後、選択リスト１５から削除している接続先ポートが存在するか否かを判定する（ステップＳ１６）。切替制御部２５は、選択リスト１５から削除している接続先ポートが存在する場合（ステップＳ１６肯定）、削除した接続先ポートを選択リスト１５内に復帰し（ステップＳ１７）、図８に示す処理動作を終了する。その結果、選択リスト１５内に削除した接続先ポートを復帰する理由は、その後、各伝送装置ＮＥの経路切替の影響でクロックループが解消される可能性もあるからである。
【００４３】
切替制御部２５は、マスタ応答情報が自局発の問合せ情報に対応する情報でない場合（ステップＳ１５否定）、受信したマスタ応答情報を廃棄し（ステップＳ１８）、図８に示す処理動作を終了する。
【００４４】
ループ判定部２７は、マスタ応答情報を受信しなかった場合（ステップＳ１４否定）、自局発の問合せ情報を受信したか否かを判定する（ステップＳ１９）。ループ判定部２７は、自局発の問合せ情報を受信した場合（ステップＳ１９肯定）、クロックループ発生と判定する（ステップＳ２０）。
【００４５】
切替制御部２５は、クロックループ発生の接続先ポートを選択リスト１５から削除し（ステップＳ２１）、選択リスト１５内の優先順位が次位の接続先ポートの切替選択を要求し（ステップＳ２２）、図８に示す処理動作を終了する。切替制御部２５は、切替選択を検出しなかった場合（ステップＳ１１否定）、図８に示す処理動作を終了する。
【００４６】
切替制御部２５は、自局発の問合せ情報を受信しなかった場合（ステップＳ１９否定）、応答タイマがタイムアウトしたか否かを判定する（ステップＳ２３）。切替制御部２５は、応答タイマがタイムアウトした場合（ステップＳ２３肯定）、図８に示す処理動作を終了する。切替制御部２５は、応答タイマがタイムアウトしたのでない場合（ステップＳ２３否定）、マスタ応答情報を受信したか否かを判定すべく、ステップＳ１４に移行する。また、切替制御部２５は、選択リスト１５から削除している接続先ポートが存在しない場合（ステップＳ１６否定）、図８に示す処理動作を終了する。
【００４７】
図８に示す切替処理を実行する切替局２０は、接続先ポートの切替選択を検出した場合、マスタ局４０宛に問合せ情報を出力し、他の伝送装置ＮＥから自局発の問合せ情報を受信した場合に、接続先ポートを使用した場合のクロックループ発生と判定する。その結果、切替局２０は、接続先ポートの切替選択を検出した場合、切り替えた接続先ポートでのクロックループ発生を認識できる。
【００４８】
更に、切替局２０は、接続先ポートのクロックループ発生と判定した場合、クロックループ発生の接続先ポートを選択リスト１５から削除する。その結果、切替局２０は、選択リスト１５を参照してクロックループ発生なしの接続先ポートを探索できる。
【００４９】
切替局２０は、自局発の問合せ情報に対応するマスタ応答情報を受信した場合、接続先ポートのクロックループ発生なしと判定する。その結果、切替局２０は、接続先ポートの切替選択を検出した場合、切り替えた接続先ポートでの同期クロックのクロックループ発生なしを認識できる。
【００５０】
次に中継局３０の動作について説明する。図９は、中継処理に関わる中継局３０の処理動作の一例を示すフローチャートである。図９に示す中継処理は、マスタ局４０及び切替局２０からの問合せ情報又はマスタ応答情報を受信した場合に中継局３０が実行する処理である。図９に示す中継局３０の中継制御部３３は、問合せ情報を受信したか否かを判定する（ステップＳ３１）。中継制御部３３は、問合せ情報を受信した場合（ステップＳ３１肯定）、問合せ情報を受信した接続先ポートを受信記録として情報管理部１６に記録する（ステップＳ３２）。中継制御部３３は、問合せ情報に対応するマスタ応答情報の受信を監視する監視時間を計時する応答タイマを起動する（ステップＳ３３）。中継制御部３３は、応答タイマ起動後、中継部３２を通じて選択中ポートに問合せ情報を転送し（ステップＳ３４）、図９に示す処理動作を終了する。尚、中継制御部３３は、問合せ情報を転送する際、ライフタイム情報を−１デクリメントする。
【００５１】
中継制御部３３は、問合せ情報を受信しなかった場合（ステップＳ３１否定）、マスタ応答情報を受信したか否かを判定する（ステップＳ３５）。中継制御部３３は、マスタ応答情報を受信した場合（ステップＳ３５肯定）、マスタ応答情報に対応した問合せ情報を受信した接続先ポートの受信記録があるか否かを判定する（ステップＳ３６）。
【００５２】
中継制御部３３は、情報管理部１６内に受信記録がある場合（ステップＳ３６肯定）、中継部３２に対して、受信記録の接続先ポートからマスタ応答情報の転送を指示する（ステップＳ３７）。中継制御部３３は、接続先ポートの受信記録を情報管理部１６から削除し（ステップＳ３８）、図９に示す処理動作を終了する。
【００５３】
中継制御部３３は、接続先ポートの受信記録がない場合（ステップＳ３６否定）、受信したマスタ応答情報を廃棄し（ステップＳ３９）、図９に示す処理動作を終了する。つまり、中継制御部３３は、マスタ応答情報が自局発の問合せ情報に対応するマスタ応答情報でないと判断し、マスタ応答情報を廃棄するものである。
【００５４】
中継制御部３３は、マスタ応答情報を受信しなかった場合（ステップＳ３５否定）、ステップＳ３３にて起動した応答タイマがタイムアップしたか否かを判定する（ステップＳ４０）。中継制御部３３は、応答タイマがタイムアップした場合（ステップＳ４０肯定）、ステップＳ３４で転送した問合せ情報に対するマスタ応答情報がないものと判断する。そして、中継制御部３３は、問合せ情報を受信した接続先ポートの受信記録を情報管理部１６から削除し（ステップＳ４１）、図９に示す処理動作を終了する。中継制御部３３は、応答タイマがタイムアップしなかった場合（ステップＳ４０否定）、問合せ情報を受信したか否かを判定すべく、ステップＳ３１に移行する。
【００５５】
図９に示す中継処理を実行する中継局３０は、問合せ情報を受信した場合、問合せ情報を受信した接続先ポートを受信記録として記録し、問合せ情報を選択中の接続先ポートに転送する。その結果、中継局３０は、切替局２０からの問合せ情報を転送できる。
【００５６】
中継局３０は、問合せ情報に対応するマスタ応答情報を受信した場合、問合せ情報の受信記録があるか否かを判定し、受信記録がある場合、問合せ情報を受信した接続先ポートに対してマスタ応答情報を転送する。その結果、中継局３０は、マスタ局４０から問合せ情報に対応するマスタ応答情報を転送できる。
【００５７】
次に伝送システム１内の各伝送装置ＮＥの動作について説明する。図１の例では、説明の便宜上、第１の伝送装置ＮＥ１をマスタ局４０とし、伝送システム１は正常状態とする。図１０乃至図１２は、伝送システム１内での正常状態→障害発生→クロック復旧までの各伝送装置ＮＥの処理動作の一例を示す説明図である。図１０の例では、第１の伝送装置ＮＥ１と第２の伝送装置ＮＥ２との間に障害が発生した状態を示し、第１の伝送装置ＮＥ１をマスタ局４０、第３の伝送装置ＮＥ３及び第４の伝送装置ＮＥ４を中継局３０、第２の伝送装置ＮＥ２を切替局２０とする。
【００５８】
図１０に示す第２の伝送装置ＮＥ２は、第１の伝送装置ＮＥ１との間の障害による接続先ポートの切替が生じ、自局を切替局２０として機能する。第２の伝送装置ＮＥ２は、選択リスト１５を参照し、優先順位が第３番目の第４の伝送装置ＮＥ４の“ＰＲＳ”の接続先ポートを選択する。
【００５９】
第２の伝送装置ＮＥ２は、第４の伝送装置ＮＥ４の接続先ポートに対して第２の伝送装置ＮＥ２を識別するＩＤ情報“２”及びライフタイム情報“５”の問合せ情報２：５を出力する。尚、問合せ情報２：５は、ＩＤ情報の“２”と、ライフタイム情報の“５”とを示している。第４の伝送装置ＮＥ４は、第２の伝送装置ＮＥ２から問合せ情報２：５を受信した場合、自局がマスタ局４０でないため、中継局３０として機能する。第４の伝送装置ＮＥ４は、問合せ情報２：５を受信した第２の伝送装置ＮＥ２の接続先ポートを受信記録として情報管理部１６に記録する。そして、第４の伝送装置ＮＥ４は、現在選択中の第３の伝送装置ＮＥ３の接続先ポートに対して、第２の伝送装置ＮＥ２を識別するＩＤ情報“２”を含み、ライフタイム情報を−１デクリメントして“４”に更新した問合せ情報２：４を転送する。
【００６０】
更に、第３の伝送装置ＮＥ３は、第４の伝送装置ＮＥ４から問合せ情報２：４を受信した場合、自局がマスタ局４０でないため、中継局３０として機能し、受信した第４の伝送装置ＮＥ４の接続先ポートを受信記録として情報管理部１６に記録する。そして、第３の伝送装置ＮＥ３は、現在選択中の第２の伝送装置ＮＥ２の接続先ポートに対して、ライフタイム情報を−１デクリメントして“３”に更新した問合せ情報２：３を転送する。第２の伝送装置ＮＥ２は、第３の伝送装置ＮＥ３から問合せ情報２：３を受信した場合、自局が出力した問合せ情報であるため、第４の伝送装置ＮＥ４の接続先ポートを経路としたクロックループ発生と判定する。つまり、第２の伝送装置ＮＥ２は、自局と、第３の伝送装置ＮＥ３及び第４の伝送装置ＮＥ４間でクロックループ発生を認識できる。
【００６１】
図１１に示す第２の伝送装置ＮＥ２は、第４の伝送装置ＮＥ４の接続先ポートを経路としてクロックループ発生と判定したため、選択リスト１５から第４の伝送装置ＮＥ４の接続先ポートを削除する。更に、第２の伝送装置ＮＥ２は、選択リスト１５を参照し、優先順位が次位である第４番目の第５の伝送装置ＮＥ５の接続先ポートを選択する。尚、第３の伝送装置ＮＥ３及び第４の伝送装置ＮＥ４では、先に問合せ情報を受信した際の受信記録を各伝送装置ＮＥの応答タイマのタイムアウトで情報管理部１６から削除する。
【００６２】
第２の伝送装置ＮＥ２は、第５の伝送装置ＮＥ５の接続先ポートを選択し、第５の伝送装置ＮＥ５の接続先ポートに対して第２の伝送装置ＮＥ２を識別するＩＤ情報“２”及びライフタイム情報“５”の問合せ情報２：５を出力する。第５の伝送装置ＮＥ５は、第２の伝送装置ＮＥ２から問合せ情報２：５を受信した場合、自局がマスタ局４０でないため、中継局３０として機能し、受信した第２の伝送装置ＮＥ２の接続先ポートを受信記録として情報管理部１６に記録する。そして、第５の伝送装置ＮＥ５は、現在選択中の第１の伝送装置ＮＥ１の接続先ポートに対して、ライフタイム情報を−１デクリメントして“４”に更新した問合せ情報２：４を転送する。
【００６３】
更に、第１の伝送装置ＮＥ１は、第５の伝送装置ＮＥ５から問合せ情報２：４を受信した場合、自局がマスタ局４０であるため、マスタ局４０として機能し、受信した第５の伝送装置ＮＥ５の接続先ポートを受信記録として情報管理部１６に記録する。そして、第１の伝送装置ＮＥ１は、受信記録に基づき、第５の伝送装置ＮＥ５の接続先ポートに対して、マスタ局４０を識別するＩＤ情報“０”及びライフタイム情報“５”のマスタ応答情報０：５を出力する。そして、第１の伝送装置ＮＥ１は、マスタ応答情報０：５を出力した後、問合せ情報を受信した第１の伝送装置ＮＥ１の接続先ポートとする受信記録を情報管理部１６から削除する。
【００６４】
第５の伝送装置ＮＥ５は、第１の伝送装置ＮＥ１からマスタ応答情報０：５を受信した場合、自局がマスタ局４０でないため、中継局３０として機能する。第５の伝送装置ＮＥ５は、受信記録に基づき、マスタ応答情報０：５に対応した問合せ情報２：４を受信した第２の伝送装置ＮＥ２の接続先ポートに対して、ライフタイム情報を−１デクリメントして“４”に更新したマスタ応答情報０：４を転送する。更に、第５の伝送装置ＮＥ５は、マスタ応答情報０：４を第２の伝送装置ＮＥ２の接続先ポートに転送した後、問合せ情報を受信した第２の伝送装置ＮＥ２の接続先ポートとする受信記録を情報管理部１６から削除する。
【００６５】
第２の伝送装置ＮＥ２は、自局が出力した問合せ状態２：５に対応するマスタ応答情報０：４を受信した場合、現在選択中の第５の伝送装置ＮＥ５の接続先ポートのクロックループ発生なしと判定する。そして、第２の伝送装置ＮＥ２は、クロックループ発生なしの現在選択中の第５の伝送装置ＮＥ５の接続先ポートを同期クロックの受信経路として決定する。更に、図１２に示す第２の伝送装置ＮＥ２は、同期クロックの受信経路を決定した場合、削除した第４の伝送装置ＮＥ４の接続先ポートを選択リスト１５内に復帰する。そして、第２の伝送装置ＮＥ２は、メッシュ型の伝送システム１内で発生した同期クロックのループを解消し、第１の伝送装置ＮＥ１からのクロックを第５の伝送装置ＮＥ５経由で取得できる。
【００６６】
図１０乃至図１２の例では、切替局２０内の選択リスト１５内にクロックループが発生しない接続先ポートが探索できた場合を例示したが、切替局２０の選択リスト１５内でクロックループ探索ができなくなった場合について説明する。図１３乃至図１８は、伝送システム１内での正常状態→障害発生→クロック自走→クロック復旧までの各伝送装置ＮＥの処理動作の一例を示す説明図である。図１３に示す第１の伝送装置ＮＥ１は、第１のクロック源Ｃｋ１からのクロックに同期するマスタ局４０である。第２の伝送装置ＮＥ２は、第１の伝送装置ＮＥ１からのクロックに従属同期している。第３の伝送装置ＮＥ３は、第２の伝送装置ＮＥ２からのクロックに従属同期している。第５の伝送装置ＮＥ５は、第２の伝送装置ＮＥ２からのクロックに従属同期している。更に、第４の伝送装置ＮＥ４は、第５の伝送装置ＮＥ５からのクロックに従属同期している。
【００６７】
図１３に示す第１の伝送装置ＮＥ１の選択リスト１５には、優先順位の第１番目に第１のクロック源Ｃｋ１の接続先ポート（ＰＲＳ：選択）、第２番目に第２の伝送装置ＮＥ２の接続先ポート（ＤＵＳ）が記憶されている。更に、選択リスト１５には、第３番目に第５の伝送装置ＮＥ５の接続先ポート（ＤＵＳ）が記憶されている。更に、第１の伝送装置ＮＥ１は、選択リスト１５を参照し、現在、第１のクロック源Ｃｋ１を選択中と識別している。
【００６８】
第２の伝送装置ＮＥ２の選択リスト１５には、優先順位の第１番目に第１の伝送装置ＮＥ１の接続先ポート（ＰＲＳ：選択）、第２番目に第３の伝送装置ＮＥ３の接続先ポート（ＤＵＳ）が記憶されている。更に、選択リスト１５には、第３番目に第４の伝送装置ＮＥ４の接続先ポート（ＰＲＳ）、第４番目に第５の伝送装置ＮＥ５の接続先ポート（ＤＵＳ）が記憶されている。更に、第２の伝送装置ＮＥ２は、選択リスト１５を参照し、現在、第１の伝送装置ＮＥ１の接続先ポートを選択中と識別している。
【００６９】
第３の伝送装置ＮＥ３の選択リスト１５には、優先順位の第１番目に第２の伝送装置ＮＥ２の接続先ポート（ＰＲＳ：選択）、第２番目に第４の伝送装置ＮＥ４の接続先ポート（ＤＵＳ）が記憶されている。更に、第３の伝送装置ＮＥ３は、選択リスト１５を参照し、現在、第２の伝送装置ＮＥ２の接続先ポートを選択中と識別している。
【００７０】
第４の伝送装置ＮＥ４の選択リスト１５には、優先順位の第１番目に第２の伝送装置ＮＥ２の接続先ポート（ＰＲＳ）、第２番目に第３の伝送装置ＮＥ３の接続先ポート（ＰＲＳ）が記憶されている。更に、選択リスト１５には、第３番目に第５の伝送装置ＮＥ５の接続先ポート（ＰＲＳ：選択）、第４番目に第２のクロック源Ｃｋ２の接続先ポート（ＳＴＵ）が記憶されている。更に、第４の伝送装置ＮＥ４は、現在、第５の伝送装置ＮＥ５の接続先ポートを選択中と識別している。
【００７１】
第５の伝送装置ＮＥ５の選択リスト１５には、優先順位の第１番目に第１の伝送装置ＮＥ１の接続先ポート（ＰＲＳ）、第２番目に第２の伝送装置ＮＥ２の接続先ポート（ＰＲＳ：選択）が記憶されている。更に、選択リスト１５には、第３番目に第４の伝送装置ＮＥ４の接続先ポート（ＤＵＳ）が記憶されている。更に、第５の伝送装置ＮＥ５は、現在、第２の伝送装置ＮＥ２の接続先ポートを選択中と識別している。
【００７２】
図１４に示す第２の伝送装置ＮＥ２は、第１の伝送装置ＮＥ１との間の障害による第１の伝送装置ＮＥ１の接続先ポートの切替が生じ、自局を切替局２０として機能する。第２の伝送装置ＮＥ２は、選択リスト１５を参照し、優先順位が第３番目の第４の伝送装置ＮＥ４の“ＰＲＳ”の接続先ポートを選択する。
【００７３】
第２の伝送装置ＮＥ２は、第４の伝送装置ＮＥ４の接続先ポートに対して第２の伝送装置ＮＥ２を識別するＩＤ情報“２”及びライフタイム情報“５”の問合せ情報２：５を出力する。第４の伝送装置ＮＥ４は、第２の伝送装置ＮＥ２から問合せ情報２：５を受信した場合、自局がマスタ局４０でないため、中継局３０として機能する。第４の伝送装置ＮＥ４は、問合せ情報２：５を受信した第２の伝送装置ＮＥ２の接続先ポートを受信記録として情報管理部１６に記録する。そして、第４の伝送装置ＮＥ４は、現在選択中の第５の伝送装置ＮＥ５の接続先ポートに対して、ライフタイム情報を−１デクリメントして“４”に更新した問合せ情報２：４を転送する。
【００７４】
更に、第５の伝送装置ＮＥ５は、第４の伝送装置ＮＥ４から問合せ情報２：４を受信した場合、自局がマスタ局４０でないため、中継局３０として機能し、受信した第４の伝送装置ＮＥ４の接続先ポートを受信記録として情報管理部１６に記録する。そして、第５の伝送装置ＮＥ５は、現在選択中の第２の伝送装置ＮＥ２の接続先ポートに対して、ライフタイム情報を−１デクリメントして“３”に更新した問合せ情報２：３を転送する。第２の伝送装置ＮＥ２は、第５の伝送装置ＮＥ５から問合せ情報２：３を受信した場合、自局が出力した問合せ情報であるため、第４の伝送装置ＮＥ４の接続先ポートのクロックポートのループ発生と判定する。つまり、第２の伝送装置ＮＥ２は、自局と、第４の伝送装置ＮＥ４と、第５の伝送装置ＮＥ５との間で同期クロックループが発生したと認識する。
【００７５】
図１５に示す第２の伝送装置ＮＥ２は、第４の伝送装置ＮＥ４の接続先ポートのクロックループ発生と判定したので、選択リスト１５から第４の伝送装置ＮＥ４の接続先ポートを削除する。更に、第２の伝送装置ＮＥ２は、選択リスト１５を参照し、優先順位が第４番目の第５の伝送装置ＮＥ５の接続先ポートが“ＤＵＳ”であるため、選択リスト１５内に選択可能な接続先ポートがなく、伝送装置ＮＥ内の固定発振器“自走”を選択することになる。
【００７６】
その結果、第３の伝送装置ＮＥ３は、その選択リスト１５内の優先順位が第１番目の第２の伝送装置ＮＥ２の接続先ポートを選択中のまま、“ＰＲＳ”から“ＳＴ３”に更新する。また、第４の伝送装置ＮＥ４は、その選択リスト１５内の優先順位が第１番目の第２の伝送装置ＮＥ２の接続先ポートを“ＰＲＳ”から“ＳＴ３”に更新する。また、第５の伝送装置ＮＥ５は、選択リスト１５内の優先順位が第２番目の第２の伝送装置ＮＥ２の接続先ポートを選択中のまま、“ＰＲＳ”から“ＳＴ３”に更新する。
【００７７】
第３の伝送装置ＮＥ３及び第５の伝送装置ＮＥ５は、第２の伝送装置ＮＥ２の接続先ポートが選択中のまま“ＰＲＳ”から“ＳＴ３”に更新したので、選択リスト１５内で“ＳＴ３”よりも高品質の接続先ポートを探索する。その結果、図１６に示す第５の伝送装置ＮＥ５は、切替局２０として機能し、“ＰＲＳ”の第１番目の第１の伝送装置ＮＥ１の接続先ポートを選択し、選択リスト１５内の第１の伝送装置ＮＥ１の接続先ポートを選択中に更新する。また、第３の伝送装置ＮＥ３も、切替局２０として機能し、“ＰＲＳ”の第２番目の第４の伝送装置ＮＥ４の接続先ポートを選択し、選択リスト１５内の第４の伝送装置ＮＥ４の接続先ポートを選択中に更新する。
【００７８】
そして、第５の伝送装置ＮＥ５は、第１の伝送装置ＮＥ１の接続先ポートを“ＰＲＳ”に更新したので、第１の伝送装置ＮＥ１に対して“ＤＵＳ”を送信する。その結果、第１の伝送装置ＮＥ１は、選択リスト１５内の第３番目の第５の伝送装置ＮＥ５の接続先ポートを“ＰＲＳ”から“ＤＵＳ”に更新する。
【００７９】
更に、第３の伝送装置ＮＥ３は、第４の伝送装置ＮＥ４の接続先ポートを“ＰＲＳ”に更新したので、第４の伝送装置ＮＥ４に対して“ＤＵＳ”を送信する。その結果、第４の伝送装置ＮＥ４は、選択リスト１５内の第２番目の第３の伝送装置ＮＥ３の接続先ポートを“ＰＲＳ”から“ＤＵＳ”に更新する。
【００８０】
そして、図１７に示す第３の伝送装置ＮＥ３は、第４の伝送装置ＮＥ４の接続先ポートへの切替選択を検出すると、切替局２０として機能し、問合せ情報３：５を第４の伝送装置ＮＥ４に出力する。第４の伝送装置ＮＥ４は、問合せ情報３：５を受信した場合、現在選択中の第５の伝送装置ＮＥ５の接続先ポートに対して問合せ情報３：４を転送する。尚、第４の伝送装置ＮＥ４は、問合せ情報を受信した第３の伝送装置ＮＥ３の接続先ポートの受信記録を情報管理部１６に記録する。更に、第５の伝送装置ＮＥ５は、問合せ情報３：４を受信した場合、現在選択中の第１の伝送装置ＮＥ１の接続先ポートに対して問合せ情報３：３を転送する。尚、第５の伝送装置ＮＥ５は、問合せ情報を受信した第４の伝送装置ＮＥ４の接続先ポートの受信記録を情報管理部１６に記録する。
【００８１】
第１の伝送装置ＮＥ１は、問合せ情報３：３を受信した場合、自局がマスタ局４０であるため、問合せ情報を受信した第５の伝送装置ＮＥ５の接続先ポートの受信記録を情報管理部１６に記録する。第１の伝送装置ＮＥ１は、受信記録に基づき、問合せ情報に対応するマスタ応答情報０：５を第５の伝送装置ＮＥ５に出力する。更に、第５の伝送装置ＮＥ５は、受信記録に基づき、マスタ応答情報０：４を第４の伝送装置ＮＥ４に転送する。更に、第４の伝送装置ＮＥ４は、受信記録に基づき、マスタ応答０：３を第３の伝送装置ＮＥ３に転送する。第３の伝送装置ＮＥ３は、問合せ情報３：５に対応するマスタ応答０：３を受信した場合、クロックループ発生なしと判断する。第３の伝送装置ＮＥ３は、クロックループ発生なしの第４の伝送装置ＮＥ４の接続先ポートを同期クロックの接続先ポートとして決定する。
【００８２】
また、第５の伝送装置ＮＥ５も、第１の伝送装置ＮＥ１の接続先ポートへの切替を検出した場合、切替局２０として機能し、問合せ情報５：５を第１の伝送装置ＮＥ１に出力する。第１の伝送装置ＮＥ１は、問合せ情報５：５を受信した場合、自局がマスタ局４０であるため、マスタ応答情報０：５を第５の伝送装置ＮＥ５に出力する。第５の伝送装置ＮＥ５は、問合せ情報５：５に対応するマスタ応答０：５を受信した場合、クロックループ発生なしと判断する。第５の伝送装置ＮＥ５は、クロックループ発生なしの第１の伝送装置ＮＥ１の接続先ポートを同期クロックの接続先ポートとして決定する。
【００８３】
尚、第１の伝送装置ＮＥ１は、第４の伝送装置ＮＥ３からの問合せ情報及び第５の伝送装置ＮＥ５からの問合せ情報を受信するため、各問合せ情報に対応する合計２回のマスタ応答情報を出力する。しかしながら、第５の伝送装置ＮＥ５は、第１の伝送装置ＮＥ１からマスタ応答情報を受信した場合、問合せ情報を受信した接続先ポートの受信記録が削除されるため、２個目のマスタ応答情報を廃棄する。
【００８４】
また、第４の伝送装置ＮＥ４は、第２の伝送装置ＮＥ２からも問合せ情報を受信しているが、応答タイマのタイムアウト前にマスタ局４０からマスタ応答情報を受信しているため、第２の伝送装置ＮＥ２にマスタ応答情報を転送する。しかしながら、第２の伝送装置ＮＥ２は、マスタ応答情報の待機待ちの状態でないため、そのマスタ応答情報を廃棄する。第４の伝送装置ＮＥ４は、問合せ情報を受信した接続先ポートの受信記録から第３の伝送装置ＮＥ３の接続先ポートへのマスタ応答情報を廃棄する。第３の伝送装置ＮＥ３は、問合せ情報を出力した第４の伝送装置ＮＥ４の接続先ポートからマスタ応答情報を受信したので、一連の処理動作を終了する。
【００８５】
更に、図１８に示す第２の伝送装置ＮＥ２は、第３の伝送装置ＮＥ３及び第５の伝送装置ＮＥ５からの“ＤＵＳ”の送信に応じて、現在選択中の固定発振器の“ＳＴ３”よりも高品質の伝送装置ＮＥの接続先ポートを選択リスト１５から探索する。尚、第２の伝送装置ＮＥ２の選択リスト１５には、“ＰＲＳ”の第３の伝送装置ＮＥ３がある。
【００８６】
第２の伝送装置ＮＥ２は、選択リスト１５を参照し、優先順位が第２番目の“ＰＲＳ”の第３の伝送装置ＮＥ３の接続先ポートを選択する。この際、第２の伝送装置ＮＥ２は、第３の伝送装置ＮＥ３の接続先ポートを選択した場合、第３の伝送装置ＮＥ３に対して“ＤＵＳ”を送信する。そして、第２の伝送装置ＮＥ２は、第３の伝送装置ＮＥ３の接続先ポートの切替を検出した場合、切替局２０として機能し、マスタ局４０宛の問合せ情報２：５を出力する。尚、第３の伝送装置ＮＥ３は、第２の伝送装置ＮＥ２からの“ＤＵＳ”を受信することで選択リスト１５内の第１番目の第２の伝送装置ＮＥ２の接続先ポートの“ＰＲＳ”を“ＤＵＳ”に更新する。
【００８７】
第３の伝送装置ＮＥ３は、第２の伝送装置ＮＥ２からの問合せ情報２：５を受信した場合、前述した通り、ライフタイム情報を更新した問合せ情報２：４を第４の伝送装置ＮＥに転送する。更に、第４の伝送装置ＮＥ４は、第３の伝送装置ＮＥ３からの問合せ情報２：４を受信した場合、ライフタイム情報を更新した問合せ情報２：３を第５の伝送装置ＮＥ５に転送する。第５の伝送装置ＮＥ５は、第４の伝送装置ＮＥ４からの問合せ情報２：３を受信した場合、ライフタイム情報を更新した問合せ情報２：２を第１の伝送装置ＮＥ１に転送する。
【００８８】
次に第１の伝送装置ＮＥ１は、問合せ情報２：２に対応するマスタ応答情報０：５を第５の伝送装置ＮＥ５に出力する。第５の伝送装置ＮＥ５は、第１の伝送装置ＮＥ１からマスタ応答情報０：５を受信した場合、ライフタイム情報を更新したマスタ応答情報０：４を第４の伝送装置ＮＥ４に転送する。第４の伝送装置ＮＥ４は、第５の伝送装置ＮＥ５からマスタ応答情報０：４を受信した場合、ライフタイム情報を更新したマスタ応答情報０：３を第３の伝送装置ＮＥ３に転送する。第３の伝送装置ＮＥ３は、第４の伝送装置ＮＥ４からマスタ応答情報０：３を受信した場合、ライフタイム情報を更新したマスタ応答情報０：２を第２の伝送装置ＮＥ２に転送する。第２の伝送装置ＮＥ２は、第３の伝送装置ＮＥ３から問合せ情報２：５に対応するマスタ応答情報０：２を受信したので、クロックループ発生なしと判定する。
【００８９】
第２の伝送装置ＮＥ２は、クロックループ発生なしと判定した場合、選択中の第３の伝送装置ＮＥ３の接続先ポートを同期クロックの接続先ポートとして決定する。そして、第２の伝送装置ＮＥ２は、図１９に示すように、削除済みの第４の伝送装置ＮＥ４の接続先ポートを選択リスト１５内に復帰する。尚、第２の伝送装置ＮＥ２は、第４の伝送装置ＮＥ４の接続先ポートからマスタ応答情報を受信した場合でも、選択中の接続先ポートに該当しないため、マスタ応答情報を廃棄する。
【００９０】
図１３乃至図１８に示す伝送装置ＮＥは、選択リスト１５を参照し、選択リスト１５内に選択可能な接続先ポートがなくなった場合、伝送装置ＮＥ内の固定発振器に切替選択する。
【００９１】
伝送装置ＮＥは、同期クロックを選択する伝送装置ＮＥの接続先ポートの切替を検出した場合に、クロックループ発生有無を確認しながら、同期クロックの接続先ポートを決定した。しかしながら、伝送装置ＮＥは、接続先ポートの切替を検出しなくても、正常時に選択リスト１５内の接続先ポートのクロックループ発生の有無を事前に確認するようにしても良い。そこで、このような事前チェック処理について説明する。
【００９２】
図２０は、事前チェック処理に関わる伝送装置ＮＥの処理動作の一例を示すフローチャートである。図２０に示す事前チェック処理は、各伝送装置ＮＥが正常時の所定タイミング毎に選択リスト１５内の接続先ポートに対してループ発生の有無を確認し、選択リスト１５の内容を更新する処理である。図２０において伝送装置ＮＥの制御部１４は、選択リスト１５のチェック要求を検出したか否かを判定する（ステップＳ６１）。尚、チェック要求は、例えば、所定時間毎に定期的に発行、若しくは、オペレータの操作で発行するものとする。制御部１４は、選択リスト１５のチェック要求を検出した場合（ステップＳ６１肯定）、選択リスト１５から第１番目のチェック対象の接続先ポートを選択する（ステップＳ６２）。
【００９３】
制御部１４は、チェック対象の接続先ポートが現在選択中の接続先ポートであるか否かを判定する（ステップＳ６３）。制御部１４は、チェック対象の接続先ポートが現在選択中の接続先ポートの場合（ステップＳ６３肯定）、選択リスト１５内の全接続先ポートのチェックが完了したか否かを判定する（ステップＳ６４）。制御部１４は、選択リスト１５内の全接続先ポートのチェックが完了した場合（ステップＳ６４肯定）、図２０に示す処理動作を終了する。
【００９４】
制御部１４は、選択リスト１５内の全接続先ポートのチェックが完了していない場合（ステップＳ６４否定）、選択リスト１５内の次位の接続先ポートを選択する（ステップＳ６５）。制御部１４は、チェック対象の接続先ポートが現在選択中の接続先ポートであるか否かを判定すべく、ステップＳ６３に移行する。
【００９５】
制御部１４は、チェック対象の接続先ポートが“ＤＵＳ”であるか否かを判定する（ステップＳ６６）。制御部１４は、チェック対象の接続先ポートが“ＤＵＳ”である場合（ステップＳ６６肯定）、当該接続先ポートをチェック対象から除外し、選択リスト１５内の全接続先ポートのチェックが完了したか否かを判定すべく、ステップＳ６４に移行する。
【００９６】
更に、制御部１４は、チェック対象の接続先ポートが“ＤＵＳ”でない場合（ステップＳ６６否定）、チェック対象の接続先ポートに対してマスタ局宛の問合せ情報を出力する（ステップＳ６７）。
【００９７】
制御部１４は、チェック対象の接続先ポートに対して問合せ情報を出力後、応答タイマを起動する（ステップＳ６８）。制御部１４は、応答タイマを起動した後、問合せ情報に対応するマスタ応答情報を受信したか否かを判定する（ステップＳ６９）。制御部１４は、マスタ応答情報を受信した場合（ステップＳ６９肯定）、選択リスト１５から一時的に削除された接続先ポートがあるか否かを判定する（ステップＳ７０）。制御部１４は、選択リスト１５から一時的に削除された接続先ポートがある場合（ステップＳ７０肯定）、削除された接続先ポートを選択リスト１５内に復帰する（ステップＳ７１）。制御部１４は、選択リスト１５内の全接続先ポートのチェックが完了したか否かを判定すべく、ステップＳ６４に移行する。
【００９８】
制御部１４は、選択リスト１５から一時的に削除された接続先ポートがない場合（ステップＳ７０否定）、選択リスト１５内の全接続先ポートのチェックが完了したか否かを判定すべく、ステップＳ６４に移行する。
【００９９】
制御部１４は、マスタ応答情報を受信しなかった場合（ステップＳ６９否定）、自局発の問合せ情報を受信したか否かを判定する（ステップＳ７２）。制御部１４は、自局発の問合せ情報を受信した場合（ステップＳ７２肯定）、問合せ情報を受信したチェック対象の接続先ポートでのクロックループ発生と判定する（ステップＳ７３）。
【０１００】
制御部１４は、クロックループ発生のチェック対象の接続先ポートを選択リスト１５から一時的に削除し（ステップＳ７４）、選択リスト１５内の全接続先ポートのチェックが完了したか否かを判定すべく、ステップＳ６４に移行する。
【０１０１】
制御部１４は、ステップＳ６８で起動した応答タイマがタイムアップしたか否かを判定する（ステップＳ７５）。制御部１４は、応答タイマがタイムアップした場合（ステップＳ７５肯定）、選択リスト１５内の全接続先ポートのチェックが完了したか否かを判定すべく、ステップＳ６４に移行する。制御部１４は、応答タイマがタイムアップしなかった場合（ステップＳ７５否定）、マスタ応答情報を受信したか否かを判定すべく、ステップＳ６９に移行する。また、制御部１４は、チェック要求を検出しなかった場合（ステップＳ６１否定）、図２０に示す処理動作を終了する。
【０１０２】
図２０に示す事前チェック処理を実行する伝送装置ＮＥは、チェック要求を検出すると、選択リスト１５内の優先順位毎にある接続先ポートをチェック対象として選択し、選択した接続先ポートでのマスタ局４０宛の問合せ情報を出力する。更に、伝送装置ＮＥは、自局発の問合せ情報を受信した場合、チェック対象の接続先ポートでのクロックループ発生と判定し、接続先ポートを選択リスト１５から削除して更新する。その結果、伝送装置ＮＥは、選択リスト１５内の接続先ポートのクロックループ発生の有無を事前に確認し、選択リスト１５の内容を更新できる。
【０１０３】
伝送装置ＮＥは、選択した接続先ポートでの問合せ情報に対応するマスタ応答情報を受信した場合にチェック対象の接続先ポートが正常と判定し、削除ポートを選択リスト１５内に復帰して選択リスト１５を更新できる。その結果、伝送装置ＮＥは、選択リスト１５内の接続先ポートのクロックループ発生の有無を事前に確認し、選択リスト１５の内容を更新できる。図２１は、伝送システム１内の第２の伝送装置ＮＥ２の事前チェック処理に関わる処理動作の一例を示す説明図である。図２１に示す伝送システム１内の各伝送装置ＮＥの選択リスト１５は、前述した通り、説明の便宜上、図１に示す各伝送装置ＮＥの選択リスト１５の内容と同一とする。
【０１０４】
図２１に示す第２の伝送装置ＮＥ２は、選択リスト１５内の第１番目の第１の伝送装置ＮＥ１の接続先ポートとの選択中に、チェック要求を検出したものとする。第２の伝送装置ＮＥ２は、選択リスト１５内の第１番目の第１の伝送装置ＮＥ１の接続先ポートが“ＰＲＳ”の選択中であり、第１の伝送装置ＮＥ１の接続先ポートがクロックループ発生なしの接続先ポートとして確認済みである。従って、第２の伝送装置ＮＥ２は、現在選択中の第１の伝送装置ＮＥ１の接続先ポートを問合せ情報の出力対象から除外する。
【０１０５】
次に第２の伝送装置ＮＥ２は、選択リスト１５内の第２番目の第３の伝送装置ＮＥ３の接続先ポートをチェック対象とするが、第３の伝送装置ＮＥ３が“ＤＵＳ”であるため、第３の伝送装置ＮＥ３の接続先ポートを問合せ情報の出力対象から除外する。
【０１０６】
更に、第２の伝送装置ＮＥ２は、選択リスト１５内の第３番目の第４の伝送装置ＮＥ４の接続先ポートをチェック対象とし、第４の伝送装置ＮＥ４が“ＰＲＳ”であるため、第４の伝送装置ＮＥ４に対して問合せ情報２：５を出力する。そして、第２の伝送装置ＮＥ２は、第４の伝送装置ＮＥ４及び第３の伝送装置ＮＥ３を経由して自局発の問合せ情報２：３を受信する。その結果、第２の伝送装置ＮＥ２は、第４の伝送装置ＮＥ４→第３の伝送装置ＮＥ３→第２の伝送装置ＮＥ２のクロックループ発生と判断し、選択リスト１５内のクロックループ発生の第４の伝送装置ＮＥ４の接続先ポートを一時的に削除する。
【０１０７】
更に、第２の伝送装置ＮＥ２は、選択リスト１５内の第４番目の第５の伝送装置ＮＥ５の接続先ポートをチェック対象とし、第５の伝送装置ＮＥ５が“ＰＲＳ”であるため、第５の伝送装置ＮＥ５に対して問合せ情報２：５を出力する。そして、第２の伝送装置ＮＥ２は、第５の伝送装置ＮＥ５及び第１の伝送装置ＮＥ１を経由して自発局の問合せ情報２：４を受信する。その結果、第５の伝送装置ＮＥ５は、第２の伝送装置ＮＥ２からの問合せ情報２：４をマスタ局４０の第１の伝送装置ＮＥ１に転送する。マスタ局４０の第１の伝送装置ＮＥ１は、問合せ情報２：４に対応するマスタ応答情報０：５を第５の伝送装置ＮＥ５経由で第２の伝送装置ＮＥ２に出力する。第２の伝送装置ＮＥ２は、第５の伝送装置ＮＥ５からマスタ応答情報０：４を受信した場合、クロックループ発生なしの接続先ポートと判断する。そして、第２の伝送装置ＮＥ２は、選択リスト１５内の全接続先ポートのチェックを完了したので、削除した第３番目の第４の伝送装置ＮＥ４の接続先ポートを選択リスト１５内に復帰し、選択リスト１５の内容を更新する。その結果、第２の伝送装置ＮＥ２は、障害等が発生しなくても、選択リスト１５内で選択可能な接続先ポートのクロックループ発生を事前に確認し、選択リスト１５の内容を更新できる。
【０１０８】
図２２は、伝送システム１内の第４の伝送装置ＮＥ４の事前チェック処理に関わる処理動作の一例を示す説明図である。図２２に示す第４の伝送装置ＮＥ４は、チェック要求を検出した場合、選択リスト１５内で優先順位が第２番目の第３の伝送装置ＮＥ３の接続先ポートが“ＰＲＳ”の選択中である。第４の伝送装置ＮＥ４は、第３の伝送装置ＮＥ３の接続先ポートがクロックループ発生なしの接続先ポートとして確認済みである。第４の伝送装置ＮＥ４は、現在選択中の第３の伝送装置ＮＥ３の接続先ポートを問合せ情報の出力対象から除外する。
【０１０９】
次に、第４の伝送装置ＮＥ４は、選択リスト１５内の第１番目の第２の伝送装置ＮＥ２の接続先ポートをチェック対象とし、第２の伝送装置ＮＥ２の接続先ポートが“ＰＲＳ”であるため、第２の伝送装置ＮＥ２に対して問合せ情報４：５を出力する。第２の伝送装置ＮＥ２は、問合せ情報４：５を受信した場合、第４の伝送装置ＮＥ４からの問合せ情報４：４をマスタ局４０の第１の伝送装置ＮＥ１に転送する。第１の伝送装置ＮＥ１は、問合せ情報４：４に対応するマスタ応答情報０：５を第２の伝送装置ＮＥ２に出力する。第２の伝送装置ＮＥ２は、マスタ応答情報０：５を受信した場合、マスタ応答情報０：４を第４の伝送装置ＮＥ４に転送する。第４の伝送装置ＮＥ４は、第２の伝送装置ＮＥ２からマスタ応答情報０：４を受信した場合、第２の伝送装置ＮＥ２の接続先ポートがクロックループ発生なしの接続先ポートと判断する。
【０１１０】
次に、第４の伝送装置ＮＥ４は、選択リスト１５内の第３番目の第５の伝送装置ＮＥ５の接続先ポートをチェック対象とし、第５の伝送装置ＮＥ５の接続先ポートが“ＰＲＳ”であるため、第５の伝送装置ＮＥ５に対して問合せ情報４：５を出力する。第５の伝送装置ＮＥ５は、第４の伝送装置ＮＥ４からの問合せ情報４：５を受信した場合、問合せ情報４：４を第１の伝送装置ＮＥ１に転送する。マスタ局４０の第１の伝送装置ＮＥ１は、問合せ情報４：４を受信した場合、問合せ情報４：４に対応するマスタ応答情報０：５を第５の伝送装置ＮＥ５に出力する。第５の伝送装置ＮＥ５は、マスタ応答情報０：５を受信した場合、マスタ応答情報０：４を第４の伝送装置ＮＥ４に転送する。第４の伝送装置ＮＥ４は、第５の伝送装置ＮＥ５からマスタ応答情報０：５を受信した場合、第５の伝送装置ＮＥ５の接続先ポートがクロックループ発生なしの接続先ポートと判断する。
【０１１１】
また、第４の伝送装置ＮＥ４は、選択リスト１５内の第４番目の第２のクロック源Ｃｋ２（ＳＴＵ）であるので、問合せ情報の出力対象から除外する。そして、第４の伝送装置ＮＥ４は、選択リスト１５の内容を更新する。その結果、第４の伝送装置ＮＥ４は、障害等が発生しなくても、選択リスト１５内で選択可能な接続先ポートのクロックループ発生を事前に確認し、選択リスト１５の内容を更新できる。
【０１１２】
図２３は、伝送システム１内の第５の伝送装置ＮＥ５の事前チェック処理に関わる処理動作の一例を示す説明図である。図２３に示す第５の伝送装置ＮＥ５は、チェック要求を検出した場合、選択リスト１５内の第１番目の第１の伝送装置ＮＥ１の接続先ポートが“ＰＲＳ”の選択中である。第５の伝送装置ＮＥ５は、第１の伝送装置ＮＥ１の接続先ポートがクロックループ発生なしの接続先ポートとして確認済みである。従って、第５の伝送装置ＮＥ５は、現在選択中の第１の伝送装置ＮＥ１の接続先ポートを問合せ情報の出力対象から除外する。
【０１１３】
次に、第５の伝送装置ＮＥ５は、選択リスト１５内の第２番目の第２の伝送装置ＮＥ２の接続先ポートをチェック対象とし、第２の伝送装置ＮＥ２が“ＰＲＳ”であるため、第２の伝送装置ＮＥ２に対して問合せ情報５：５を出力する。第２の伝送装置ＮＥ２は、第５の伝送装置ＮＥ５からの問合せ情報５：４をマスタ局４０の第１の伝送装置ＮＥ１に転送する。第１の伝送装置ＮＥ１は、問合せ情報５：４に対応するマスタ応答情報０：５を第２の伝送装置ＮＥ２に出力する。更に、第２の伝送装置ＮＥ２は、マスタ応答情報０：５を受信した場合、マスタ応答情報０：４を第５の伝送装置ＮＥ５に転送する。第５の伝送装置ＮＥ５は、第２の伝送装置ＮＥ２からマスタ応答情報０：４を受信した場合、第２の伝送装置ＮＥ２の接続ポートがループ発生なしの接続先ポートと判断する。
【０１１４】
次に、第５の伝送装置ＮＥ５は、選択リスト１５内の第３番目の第４の伝送装置ＮＥ４の接続先ポートをチェック対象とし、第４の伝送装置ＮＥ４が“ＰＲＳ”であるため、第４の伝送装置ＮＥ４に対して問合せ情報５：５を出力する。第４の伝送装置ＮＥ４は、問合せ情報５：５を受信した場合、問合せ情報５：４を第３の伝送装置ＮＥ３に転送する。第３の伝送装置ＮＥ３は、問合せ情報５：４を受信した場合、問合せ情報５：３を第２の伝送装置ＮＥ２に転送する。第２の伝送装置ＮＥ２は、問合せ情報５：３を受信した場合、問合せ情報５：２を第１の伝送装置ＮＥ２に転送する。
【０１１５】
第１の伝送装置ＮＥ１は、第２の伝送装置ＮＥ２からの問合せ情報５：２を受信した場合、問合せ情報５：２に対応するマスタ応答情報０：５を第２の伝送装置ＮＥ２に転送する。第２の伝送装置ＮＥ２は、マスタ応答情報０：５を受信した場合、マスタ応答情報０：４を第３の伝送装置ＮＥ３に転送する。第３の伝送装置ＮＥ３は、マスタ応答情報０：４を受信した場合、マスタ応答情報０：３を第４の伝送装置ＮＥ４に転送する。更に、第４の伝送装置ＮＥ４は、マスタ応答情報０：３を受信した場合、マスタ応答情報０：２を第５の伝送装置ＮＥ５に転送する。第５の伝送装置ＮＥ５は、第４の伝送装置ＮＥ４からマスタ応答情報０：２を受信した場合、第４の伝送装置ＮＥ４の接続先ポートがクロックループ発生なしの接続先ポートと判断する。そして、第５の伝送装置ＮＥ５は、選択リスト１５内の内容を更新する。その結果、第５の伝送装置ＮＥ５は、障害等が発生しなくても、選択リスト１５内で選択可能な接続先ポートのクロックループ発生を事前に確認し、選択リスト１５の内容を更新できる。
【０１１６】
尚、第１の伝送装置ＮＥ１は、選択リスト１５内の第１のクロック源Ｃｋ１以外の全ての接続先ポートが“ＤＵＳ”であるため、他の伝送装置ＮＥの接続先ポートに対して問合せ情報を出力することはない。
【０１１７】
伝送装置ＮＥは、接続先ポートの切替発生に関係なく、正常時においても、選択リスト１５内の接続先ポートについてクロックループの発生有無を確認し、クロックループが発生した接続先ポートについて選択リスト１５から一時的に削除する調整動作を実行する。その結果、クロックループの発生を防止できる。尚、伝送装置ＮＥは、クロックループが発生した接続先ポートについて選択リスト１５から一時的に削除するようにしたが、一時的に削除する代わりに、優先順位を下げるようにしても良い。
【０１１８】
本実施例の伝送装置ＮＥは、同期クロックの接続先ポートの切替を検出した場合、選択リスト１５を参照して接続先ポート毎にクロックループ発生の有無を確認し、クロックループが発生していない接続先ポートを同期クロックの接続先ポートとして決定する。その結果、クロックループの発生を防止できる。
【０１１９】
伝送システム１では、複雑なメッシュ構成の同期通信網であっても、クロックループの発生を防止し、クロックループ発生なしの接続先ポートを探索できる。その結果、信号品質の低下を防止できる。
【０１２０】
伝送装置ＮＥは、接続先ポートにクロックループが発生した場合、その接続先ポートを選択リスト１５から一時的に削除するため、クロックループ発生の接続先ポートを選択する機会を抑制できる。
【０１２１】
更に、伝送装置ＮＥは、障害等が発生しなくても、正常時に選択リスト１５内の接続先ポートの状態を確認し、クロックループ発生の接続先ポートを事前に確認し、その確認結果に基づき、選択リスト１５の内容を更新する。その結果、接続先ポート切替時のクロックループの発生を防止してクロック品質の低下を防止できる。
【０１２２】
伝送装置ＮＥは、切替局２０からの問合せ情報を受信した場合に、当該問合せ情報を受信した接続先の伝送装置ＮＥを記録する。更に、伝送装置ＮＥは、当該問合せ情報を選択中の接続先の伝送装置ＮＥに転送する。その結果、伝送装置ＮＥは、問合せ情報を他の伝送装置ＮＥに転送できる。更に、伝送装置ＮＥ３は、問合せ情報に対応するマスタ応答情報を受信した際に記録した前記接続先の伝送装置ＮＥ３に当該マスタ応答情報を転送する。その結果、伝送装置ＮＥは、問合せ情報に対応するマスタ応答情報を他の伝送装置ＮＥに転送できる。
【０１２３】
尚、上記実施例では、Ｓｏｎｅｔ／ＳＤＨ網を例示し、伝送信号のオーバヘッダ内のＳ１バイト領域に問合せ情報やマスタ応答情報を挿入するようにした。しかしながら、例えば、Ｅｔｈｅｒ網でもよく、ＩＴＵ−Ｔ  Ｇ．８２６４に規定するフレームフォーマットの「Ｒｅｓｅｒｖｅｄ」エリアに問合せ情報やマスタ応答情報を挿入するようにしても良い。
【０１２４】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１２５】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【０１２６】
以上、本実施例を含む実施の形態に関し、更に以下の付記を開示する。
【０１２７】
（付記１）同期クロックを分配するマスタ側の伝送装置と、前記マスタ側の伝送装置からの前記同期クロックに従属同期する複数のスレーブ側の伝送装置とを接続した伝送システムであって、
各伝送装置は、
前記同期クロックを切替える接続先の伝送装置を選択する選択部と、
前記選択部にて選択された前記接続先の伝送装置を経由して前記マスタ側の伝送装置宛の問合せ信号を出力する出力部と、
自装置が出力した前記問合せ信号を受信したか否かを判定する判定部と、
前記判定部にて前記問合せ信号を受信した場合に、当該接続先の伝送装置を経路とした同期クロックのループ発生と判定する制御部と
を有することを特徴とする伝送システム。
【０１２８】
（付記２）前記制御部は、
自装置が出力した前記問合せ信号に対する前記マスタ側の伝送装置からの応答信号を受信した場合に、前記選択部にて選択された当該接続先の伝送装置を当該同期クロックの受信経路として決定することを特徴とする付記１に記載の伝送システム。
【０１２９】
（付記３）前記伝送装置は、
前記接続先の伝送装置を優先順位毎に記憶した記憶部を有し、
前記選択部は、
前記記憶部内の前記優先順位に基づき前記接続先の伝送装置を選択し、
前記制御部は、
前記選択部にて選択された前記接続先の伝送装置を経路とした前記ループ発生と判定された場合に、当該接続先の伝送装置を前記記憶部から削除することを特徴とする付記１又は２に記載の伝送システム。
【０１３０】
（付記４）前記記憶部は、
前記優先順位毎に、前記接続先の伝送装置を識別する識別情報及び、前記接続先の伝送装置に設定中の同期状態メッセージを対応付けて記憶しておき、
前記選択部は、
前記記憶部内の前記優先順位及び前記同期状態メッセージに基づき、前記接続先の伝送装置を選択することを特徴とする付記３に記載の伝送システム。
【０１３１】
（付記５）前記伝送装置は、
他の伝送装置からの前記問合せ信号を受信した場合に、当該問合せ信号を受信した接続先の伝送装置を記録し、当該問合せ信号を選択中の接続先の伝送装置に転送すると共に、前記問合せ信号に対応する前記応答信号を受信した際に記録した前記接続先の伝送装置に当該応答信号を転送する転送部
を有することを特徴とする付記１〜４の何れか一つに記載の伝送システム。
【０１３２】
（付記６）前記選択部は、
所定信号を検出した場合に、前記記憶部内の優先順位に基づき、前記接続先の伝送装置を選択することを特徴とする付記３又は４に記載の伝送システム。
【０１３３】
（付記７）同期クロックを分配するマスタ局からの前記同期クロックに従属同期する伝送装置であって、
前記同期クロックを切替える接続先の伝送装置を選択する選択部と、
前記選択部にて選択された当該接続先の伝送装置を経由して前記マスタ局宛の問合せ信号を出力する出力部と、
自装置が出力した前記問合せ信号を受信したか否かを判定する判定部と、
前記判定部にて前記問合せ信号を受信した場合に、当該接続先の伝送装置を経路とした同期クロックのループ発生と判定する制御部と
を有することを特徴とする伝送装置。
【０１３４】
（付記８）前記制御部は、
当該自装置が出力した前記問合せ信号に対する前記マスタ局からの応答信号を受信した場合に、前記選択部にて選択された当該接続先の伝送装置を当該同期クロックの受信経路として決定することを特徴とする付記７に記載の伝送装置。
【０１３５】
（付記９）前記接続先の伝送装置を識別する識別情報及び、前記接続先の伝送装置に設定中の同期状態メッセージを対応付けて優先順位毎に記憶した記憶部を有し、
前記選択部は、
前記記憶部内の前記優先順位に基づき前記接続先の伝送装置を選択し、
前記制御部は、
前記選択部にて選択された前記接続先の伝送装置を経路とした前記ループ発生と判定された場合に、当該接続先の伝送装置を識別する前記識別情報を前記記憶部から削除することを特徴とする付記７又は８に記載の伝送装置。
【０１３６】
（付記１０）他の伝送装置からの前記問合せ信号を受信した場合に、当該問合せ信号を受信した接続先の伝送装置を記録し、当該問合せ信号を選択中の接続先の伝送装置に転送すると共に、前記問合せ信号に対応する前記応答信号を受信した際に記録した前記接続先の伝送装置に当該応答信号を転送する転送部
をさらに有することを特徴とする付記７〜９の何れか一つに記載の伝送装置。
【０１３７】
（付記１１）同期クロックを分配するマスタ側の伝送装置と、前記マスタ側の伝送装置からの前記同期クロックに従属同期する複数のスレーブ側の伝送装置とを接続した伝送システムのクロック同期方法であって、
各伝送装置は、
前記同期クロックを切替える接続先の伝送装置を選択し、
前記選択された前記接続先の伝送装置を経由して前記マスタ側の伝送装置宛の問合せ信号を出力し、
自装置が出力した前記問合せ信号を受信したか否かを判定し、
前記問合せ信号を受信した場合に、当該接続先の伝送装置を経路とした同期クロックのループ発生と判定する
を処理を実行することを特徴とするクロック同期方法。
【符号の説明】
【０１３８】
１  伝送システム
１４  制御部
１５  選択リスト
２０  切替局
２５  切替制御部
２６  問合せ要求部
２７  ループ判定部
３０  中継局
３３  中継制御部
４０  マスタ局
ＮＥ  伝送装置
ＮＥ１  第１の伝送装置
ＮＥ２  第２の伝送装置
ＮＥ３  第３の伝送装置
ＮＥ４  第４の伝送装置
ＮＥ５  第５の伝送装置
【図１】
2015192246.tif 000003
【図２】
2015192246.tif 000004
【図３】
2015192246.tif 000005
【図４】
2015192246.tif 000006
【図５】
2015192246.tif 000007
【図６】
2015192246.tif 000008
【図７】
2015192246.tif 000009
【図８】
2015192246.tif 000010
【図９】
2015192246.tif 000011
【図１０】
2015192246.tif 000012
【図１１】
2015192246.tif 000013
【図１２】
2015192246.tif 000014
【図１３】
2015192246.tif 000015
【図１４】
2015192246.tif 000016
【図１５】
2015192246.tif 000017
【図１６】
2015192246.tif 000018
【図１７】
2015192246.tif 000019
【図１８】
2015192246.tif 000020
【図１９】
2015192246.tif 000021
【図２０】
2015192246.tif 000022
【図２１】
2015192246.tif 000023
【図２２】
2015192246.tif 000024
【図２３】
2015192246.tif 000025